(57)【要約】【課題】本発明は、トイレ内で用を足すときに心臓の負担を軽くすること。【解決手段】トイレに入ってきた人が便座５に座ると検出手段１０が便座に座ったことを検出し制御手段１２により酸素富化手段８を運転し、酸素リッチのエアーを吹き出し、用を足すときの心臓の負担を軽くする。【選択図】  図１
2005009139.tif 000002
【特許請求の範囲】
【請求項１】
トイレ内に設置した便器と、前記便器に載置した便座と、前記便座上に人体が座ったことを検出する検出手段と、空気中の酸素濃度より高濃度の酸素を供給する酸素富化手段と、前記検出手段からの出力によって前記酸素富化手段の運転を制御する制御手段とを備えたことを特徴とするトイレ装置。
【請求項２】
トイレ内に設置した便器と、前記便器に載置した便座と、前記トイレに入ってきた人体を検出する人体検出手段と、空気中の酸素濃度より高濃度の酸素を供給する酸素富化手段と、前記人体検出手段からの出力によって前記酸素富化手段の運転を制御する制御手段とを備えたことを特徴とするトイレ装置。
【請求項３】
便器洗浄水を貯えるロータンク上に酸素富化手段を配設し、酸素富化手段の送風方向を便座に座っている人体の頭部に向けることができるようにしたこと
を特徴とする請求項１または２に記載のトイレ装置。
【請求項４】
酸素富化手段の送風口は酸素富化手段本体から伸縮自在のホースを設け、前記ホース先端に連結した吸入口とから構成した請求項１または２に記載のトイレ装置。
【請求項５】
酸素富化手段の酸素富化ユニットの下流側に暖房手段を配してなる請求項１〜４のいずれか１項に記載のトイレ装置。
【発明の詳細な説明】
【０００１】
【発明の属する技術分野】
本発明は、酸素富化手段を備えたトイレ装置に関し、特に便座を有するトイレ装置に関するものである。
【０００２】
【従来の技術】
従来この種のトイレ装置は、排便行為の際に力むことがないように、洗浄水の強さを強弱繰り返して局部に向けて噴出し、一種のマッサージ効果によって排便行為をスムーズに行えるような工夫がなされてきた。
【０００３】
一方、酸素富化手段を設けて空気中の酸素濃度を維持するための技術も開発されていた（例えば特許文献１参照）。
【０００４】
図５において酸素富化空気供給装置付空気調和機（以下酸素富化空調機と称す）１０１は一体形空気調和機１０２と、これに内蔵された酸素富化するための酸素富化手段１０３と、室内空気の酸素濃度によりこの酸素富化手段３を作動させるための制御手段１０４とから構成されている。一体形空調機１０２は、その室内側１０５に空気導入口１０６からエアーフィルター１０７、室内熱交換器１０８、室内送風機１０９を順次備え、その室外側１１０に冷却用冷凍機１１１、室外送風機１１２、室外熱交換器１１３等を備えており、室内送風機１０９により空気導入口１０６から吸い込まれる室内空気は室内熱交換器１０８により熱交換された後、室内送風機１０９により室内へ供給されるように構成されている。これにより健康によく、快適な環境を提供することができる。
【０００５】
【特許文献１】
特開昭６４−４１７３２号公報
【０００６】
【発明が解決しようとする課題】
しかしながら上記従来構成では、いわゆる空調機において、比較的広い空間に空調空気および高濃度の酸素を送る装置であり、温度、湿度を外気と交換せず、酸素濃度不足を補い、温度、湿度を保つことであった。
【０００７】
一方、トイレ空間では以下のような現象があった。すなわち、排便を促進するために例えば局部洗浄水の強さの強弱を繰り返すいわゆるマッサージ洗浄手段を使用する場合であっても、排便しようとする行為では、血管が収縮して血圧上昇などは見られる。トイレは朝に使用することが多く、一方、朝は人間の健康にとって調子のよくない時間帯である。朝は起床とともに血圧と心拍数が急上昇し、心臓の収縮率も急激に増加する。その結果心臓における酸素の消費が急激に増える。また、心臓に血液を送る冠状動脈の血液流量が少ないため血液も粘っこくなっている。従って血液は固まりやすくなり、心臓への酸素供給量は不十分になる。
【０００８】
一方トイレは環境的に良いところではなく、寒い、狭いなどで、また特に朝の寒い時には人にとって十分な酸素供給ができず、上記のような現象が多く見られた。一般的に、トイレ室は狭いところが多く、人が長く居ると、トイレ室内の酸素を消費し、人は二酸化炭素を排出するため酸素濃度は低下する。従って特に朝方などでは排便のために踏ん張ることにより、心臓に負担をかけるという問題があった。
【０００９】
本発明は、上記従来の問題点に鑑み、トイレで排便するときにトイレ空間を正常な空気中酸素濃度を確保するために酸素富化手段を作動させるようにしたトイレ装置を提供することを目的としている。
【００１０】
【課題を解決するための手段】
前記従来の課題を解決するために、本発明のトイレ装置はトイレ内に設置した便器と、便器に載置した便座と、便座上に人体が座ったことを検出する検出手段と、空気中の酸素濃度より高濃度の酸素を供給する酸素富化手段と、検出手段からの出力によって酸素富化手段の運転を制御する制御手段とを備えたものであり、使用者が便座に座ると制御手段によって酸素富化手段が作動されるため、酸素を最も必要とする場合である便座に座って用を足すときに確実に高濃度の酸素を供給することができる。
【００１１】
【発明の実施の形態】
請求項１に記載の発明は、トイレ内に設置した便器と、便器に載置した便座と、便座上に人体が座ったことを検出する検出手段と、空気中の酸素濃度より高濃度の酸素を供給する酸素富化手段と、検出手段からの出力によって酸素富化手段の運転を制御する制御手段とを備えたものであり、使用者が便座に座ると制御手段によって酸素富化手段が作動されるため、酸素を最も必要とする場合である便座に座って用を足すときに確実に高濃度の酸素を供給することができる。
【００１２】
請求項２に記載の発明は、トイレに入ってきた人体を検出する人体検出手段と、空気中の酸素濃度より高濃度の酸素を供給する酸素富化手段と、人体検出手段からの出力によって酸素富化手段の運転を制御する制御手段とを備えてあるため、トイレに入ったときから確実に酸素富化手段を作動させることができる。
【００１３】
請求項３に記載の発明は、便器洗浄水を貯えるロータンク上に酸素富化手段を配設し、酸素富化手段の送風方向を便座に座っている人体の首筋に向けることができるようにすることにより、コンパクトな構成で酸素富化手段を配設できるとともに酸素リッチなエアを首筋に向けて吹き出すことができる。それにより、踏ん張っているときに口や鼻から吸う空気を高濃度の酸素にすることができる。したがって寒い朝などで、たとえ血管が収縮していても心臓に酸素が供給されるため快適な状態にでき、気持ち良く用を足すことができる。
【００１４】
請求項４に記載の発明は、酸素富化手段の送風口は酸素富化手段本体から伸縮自在のホースを設け、ホース先端に連結した吸入口とから構成してあるため、直接、口、鼻などに高濃度の酸素を供給することができる。
【００１５】
請求項５に記載の発明は、酸素富化手段の酸素富化ユニット下流側に暖房手段を配することにより冬の寒いときに冷たい空気ではなく、体に心地よい温度でかつ高濃度の酸素を供給することにより、寒いときに起こる心臓発作の予防に役立てることができる。
【００１６】
【実施例】
以下、本発明のトイレ装置の実施例について、図１〜図４を参照して説明する。
【００１７】
（実施例１）
図１において、１は便器、便器１上に温水洗浄便座２が設置されている。３は本体部、４は便器の洗浄水を収容するロータンクである。温水洗浄便座２は、便座５とその上を覆う便蓋６を備え、それぞれ便器１上に設置された水平姿勢と本体部４前面に沿うように立てた起立姿勢との間で上下回動可能に構成されている。７は便槽２内の後部に出退可能に配設された洗浄ノズルである。８は本発明の一実施例である酸素富化手段でロータンク４の上部に載置してある。９は酸素を吹き出す吹き出し口である。１０は便座５に座ったかどうかを検出する検出手段、１１は人体を検出する人体検出手段、１２は検出手段１０または人体検出手段１１からの信号により酸素富化手段８を運転するための制御手段、１３は制御手段１２から酸素富化手段１０への信号線である。
【００１８】
図２は酸素富化手段８の内部構成を示している。１４はファン、１５は酸素富化ユニット、１６はフィルター、１７は真空ポンプ、１８は酸素リッチな空気が通る送風通路で吹き出し口９と連通している。
【００１９】
図３は酸素富化ユニットの内部構造を模式的に記載したものである。図中上部１９は上流側、２０は下流側で。上流側１９と下流側２０との間に酸素富化膜２１がある。２２は固定壁を示す。２３は通常の酸素濃度の空気、２４は酸素リッチな空気である。
【００２０】
以上のように構成されたトイレ装置について、以下その動作、作用を示す。
【００２１】
図１において、トイレに入ってきた人が便座５に座ると、便座に座ったことを検出する検出手段１０により制御手段１２は信号専１３を通じて酸素富化手段８に信号を送る。
【００２２】
あるいはトイレに入ってきた人体を検出する人体検出手段１１からの出力によって制御手段１２は信号専１３を通じて酸素富化手段８に信号を送る。
【００２３】
酸素富化手段８に信号が送られてきたあとは予め決められたシーケンスにより酸素富化手段８が運転する。
【００２４】
酸素富化手段８にはファン１４により送風された通常の空気（図３における上流側１９）が酸素富化膜２１に接触する。一方、下流側２０では真空ポンプ１８により負圧になっており、上流側１９の空気中の酸素と窒素の溶解速度の違いにより酸素富化膜２１中で拡散して下流側２０に向かい、下流側では酸素の方が多く離脱していく。これにより酸素リッチな空気が送風通路１８から吹き出し口９から放出される。従って、便座に座っている人は酸素リッチな空気を吸うことができ、その結果排便時に力んでも、通常の空気中よりも多くの酸素を吸うことにより血液中の酸素量を確保することができる。よって、心臓発作などの異常な状態を避けることができる。
【００２５】
次に用便が済んで使用者が便座５から立ち上がると、酸素富化手段１３の作動が直ちに停止する。又は、一定時間後に確実に停止する。このように使用者が必要とするときにのみ酸素富化手段１３が作動するため効率的である。なお、窒素リッチな空気はトイレ外に放出するが、直接混ざらなければ吹き出し方向と反対方向に排出してもよい。しかし、絶対に混合すると困るときは、便器の排水溝に連通させて。あるいは窓に排気口を持っていって、窒素リッチな空気を排出させてもよい。
【００２６】
以上の構成によれば、使用者が便座５に座ると、あるいは人体を検出すると酸素富化手段８が作動し、本体部４の上部の送風口９から便座５に座っている使用者の頭部付近に酸素リッチな空気が吹き出すため、口や鼻などから酸素リッチな空気を吸うことができる。そのために力んでいるときでも心臓発作などに襲われることなく用を足すことができる。
【００２７】
（実施例２）
図４において、便器洗浄水を貯えるロータンク４上に酸素富化手段８を配設し、酸素富化手段８の送風方向を便座５に座っている人体の首筋に向けることができるようにすることにより、コンパクトな構成で酸素富化手段８を配設できるとともに酸素リッチなエアを首筋に向けて吹き出すことができる。それにより、踏ん張っているときに口や鼻から吸う空気を高濃度の酸素にすることができる。したがって寒い朝などで、たとえ血管が収縮していても心臓に酸素が供給されるため快適な状態にでき、気持ち良く用を足すことができる。
【００２８】
以上のように最も必要とする部分に対して酸素リッチな空気を送るため少ない量の酸素で済み、酸素富化手段の能力を大きくせず、コンパクトに構成できる。従って低廉なランニングコストで運転しながら使用者に対して効果的に供給することができる。
【００２９】
また、酸素富化手段８の送風口９は酸素富化手段８本体から伸縮自在のホース２５を設け、ホース２５の先端に連結した吸入口２６とから構成してあるため、直接、口、鼻などに高濃度の酸素を供給することができる。従って最も効果的な省エネルギーとしての酸素供給ができる。
【００３０】
さらに、酸素富化手段８の酸素富化ユニット下流側に暖房手段２７を配することにより冬の寒いときに冷たい空気ではなく、体に心地よい温度でかつ高濃度の酸素を供給することにより、寒いときに起こる心臓発作の予防に役立てることができる。
【００３１】
【発明の効果】
以上のように本発明のトイレ装置によれば、使用者が便座に座るとこれを検出して制御手段にて酸素富化手段が作動するように構成したので、使用者が必要とするときにのみ酸素リッチな空気を供給でき、酸素富化手段を低廉なランニングコストで運転しながら使用者に対して効果的に供給することができ、体に心地よい高濃度の酸素を供給することにより、心臓発作の予防に役立てることができる。
【図面の簡単な説明】
【図１】本発明のトイレ装置の実施例１の概略図
【図２】同実施例１の酸素富化手段の内部構成を模式的に示す図
【図３】同実施例１の酸素富化手段の原理動作を示す図
【図４】本発明のトイレ装置の実施例２の概略図
【図５】本発明の従来例の概略図
【符号の説明】
１  便器
４  ロータンク
５  便座
８  酸素富化手段
９  送風口
１０  検出手段
１１  人体検出手段
１２  制御手段
２５  ホース
２６  吸入口
２７  暖房手段
【図１】
2005009139.tif 000003
【図２】
2005009139.tif 000004
【図３】
2005009139.tif 000005
【図４】
2005009139.tif 000006
【図５】
2005009139.tif 000007